Podtech/llm-jp-corpus-v4-ja_patent huggingface dataset:
【手続補正書】
【提出日】平成28年1月25日(2016.1.25)
【手続補正１】
【補正対象書類名】明細書
【補正対象項目名】００６５
【補正方法】変更
【補正の内容】
【００６５】
なお、本発明は、実施の態様として以下の内容を含む。
〔態様１〕
復調ピクセルであって、
光電荷が生成される基板と、
前記基板上のゲート層であって、少なくとも１つのｐｎ接合を有するゲート層と、
を備える、復調ピクセル。
〔態様２〕
態様１に記載の復調ピクセルにおいて、前記ゲート層が、前記基板に堆積された層に形成されている、復調ピクセル。
〔態様３〕
態様１に記載の復調ピクセルにおいて、前記基板がシリコンで、前記ゲート層がポリシリコンである、復調ピクセル。
〔態様４〕
態様１に記載の復調ピクセルにおいて、さらに、
前記ゲート層近傍のセンスノード、
を備える、復調ピクセル。
〔態様５〕
態様１に記載の復調ピクセルにおいて、前記ゲート層が、トグルゲートおよび積算ゲートを形成するようにドープされている、復調ピクセル。
〔態様６〕
態様５に記載の復調ピクセルにおいて、隣接するゲート同士のドーピングタイプが、互いに反対である、復調ピクセル。
〔態様７〕
態様１に記載の復調ピクセルにおいて、前記ゲート層が、ドリフト・感光部を形成している、復調ピクセル。
〔態様８〕
態様１に記載の復調ピクセルにおいて、前記ドリフト・感光部が、光電荷を復調部に提供する、復調ピクセル。
〔態様９〕
態様１に記載の復調ピクセルにおいて、前記ゲート層が、前記復調部のためのトグルゲートおよび積算ゲートを形成するようにドープされている、復調ピクセル。
〔態様１０〕
態様１に記載の復調ピクセルにおいて、さらに、
前記ｐｎ接合のｐ型領域とｎ型領域との間に位置する真性部分、
を備える、復調ピクセル。
〔態様１１〕
態様１に記載の復調ピクセルにおいて、さらに、
前記ゲート層に、ｐ＋／ｎ＋およびｐ−／ｎ−の、マルチステップまたはグレイマスクのドーピング、
を備える、復調ピクセル。
〔態様１２〕
復調ピクセルを製造する方法であって、
光電荷が生成される基板上にゲート層を堆積する工程と、
前記ゲート層を、少なくとも１つのｐｎ接合を有するようにドープする工程と、
を含む、復調ピクセル製造方法。
〔態様１３〕
態様１２に記載の復調ピクセルの製造において、前記基板がシリコンで、前記ゲート層がポリシリコンである、復調ピクセル製造方法。
〔態様１４〕
態様１２に記載の復調ピクセル製造方法において、さらに、
前記ゲート層近傍のセンスノードを形成する工程、
を含む、復調ピクセル製造方法。
〔態様１５〕
態様１２に記載の復調ピクセル製造方法において、さらに、
前記ゲート層を、トグルゲートおよび積算ゲートを形成するようにドープする工程、
を含む、復調ピクセル製造方法。
〔態様１６〕
態様１５に記載の復調ピクセル製造方法において、隣接するゲート同士のドーピングタイプが、互いに反対である、復調ピクセル製造方法。
〔態様１７〕
態様１２に記載の復調ピクセル製造方法において、前記ゲート層が、ドリフト・感光部を形成する、復調ピクセル製造方法。
〔態様１８〕
態様１２に記載の復調ピクセル製造方法において、前記ドリフト・感光部が、光電荷を復調部に提供する、復調ピクセル製造方法。
〔態様１９〕
態様１２に記載の復調ピクセル製造方法において、さらに、
前記ｐｎ接合のｐ型領域とｎ型領域との間の真性部分を形成する工程、
を含む、復調ピクセル製造方法。
【手続補正２】
【補正対象書類名】特許請求の範囲
【補正対象項目名】全文
【補正方法】変更
【補正の内容】
【特許請求の範囲】
【請求項１】
復調ピクセルであって、
光電荷が生成される基板と、
前記基板上のゲート層であって、少なくとも１つのｐｎ接合を有するゲート層と、
を備える、復調ピクセル。
【請求項２】
請求項１に記載の復調ピクセルにおいて、前記ゲート層が、前記基板に堆積された層に形成されている、復調ピクセル。
【請求項３】
請求項１に記載の復調ピクセルにおいて、前記基板がシリコンで、前記ゲート層がポリシリコンである、復調ピクセル。
【請求項４】
請求項１に記載の復調ピクセルにおいて、さらに、
前記ゲート層近傍のセンスノード、
を備える、復調ピクセル。
【請求項５】
請求項１に記載の復調ピクセルにおいて、前記ゲート層が、トグルゲートおよび積算ゲートを形成するようにドープされている、復調ピクセル。
【請求項６】
請求項５に記載の復調ピクセルにおいて、隣接するゲート同士のドーピングタイプが、互いに反対である、復調ピクセル。
【請求項７】
請求項１に記載の復調ピクセルにおいて、前記ゲート層が、ドリフト・感光部を形成している、復調ピクセル。
【請求項８】
請求項７に記載の復調ピクセルにおいて、前記ドリフト・感光部が、光電荷を復調部に提供する、復調ピクセル。
【請求項９】
請求項８に記載の復調ピクセルにおいて、前記ゲート層が、前記復調部のためのトグルゲートおよび積算ゲートを形成するようにドープされている、復調ピクセル。
【請求項１０】
請求項１に記載の復調ピクセルにおいて、さらに、
前記ｐｎ接合のｐ型領域とｎ型領域との間に位置する真性部分、
を備える、復調ピクセル。
【請求項１１】
請求項１に記載の復調ピクセルにおいて、さらに、
前記ゲート層に、ｐ＋／ｎ＋およびｐ−／ｎ−の、マルチステップまたはグレイマスクのドーピング、
を備える、復調ピクセル。
【請求項１２】
復調ピクセルを製造する方法であって、
光電荷が生成される基板上にゲート層を堆積する工程と、
前記ゲート層を、少なくとも１つのｐｎ接合を有するようにドープする工程と、
を含む、復調ピクセル製造方法。
【請求項１３】
請求項１２に記載の復調ピクセルの製造において、前記基板がシリコンで、前記ゲート層がポリシリコンである、復調ピクセル製造方法。
【請求項１４】
請求項１２に記載の復調ピクセル製造方法において、さらに、
前記ゲート層近傍のセンスノードを形成する工程、
を含む、復調ピクセル製造方法。
【請求項１５】
請求項１２に記載の復調ピクセル製造方法において、さらに、
前記ゲート層を、トグルゲートおよび積算ゲートを形成するようにドープする工程、
を含む、復調ピクセル製造方法。
【請求項１６】
請求項１５に記載の復調ピクセル製造方法において、隣接するゲート同士のドーピングタイプが、互いに反対である、復調ピクセル製造方法。
【請求項１７】
請求項１２に記載の復調ピクセル製造方法において、前記ゲート層が、ドリフト・感光部を形成する、復調ピクセル製造方法。
【請求項１８】
請求項１７に記載の復調ピクセル製造方法において、前記ドリフト・感光部が、光電荷を復調部に提供する、復調ピクセル製造方法。
【請求項１９】
請求項１２に記載の復調ピクセル製造方法において、さらに、
前記ｐｎ接合のｐ型領域とｎ型領域との間の真性部分を形成する工程、
を含む、復調ピクセル製造方法。
【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
基板と、
前記基板の可視領域内の前記基板の一部を覆い、前記基板の前記可視領域の外側境界から間隔を置いた外側エッジを有するエレクトロクロミックコーティングであって、前記エレクトロクロミックコーティングの前記外側エッジと前記可視領域の前記外側境界とは作業領域の境界を定める、エレクトロクロミックコーティングと、
前記作業領域内に配置され、複数の相隔たる形状を含む少なくとも１つのパターン化層と
を備えるエレクトロクロミックデバイス。
【請求項２】
前記デバイスはフレームに挿入され、前記形状は、（i）前記エレクトロクロミックコーティングの前記外側エッジ、（ii）前記デバイスと前記フレームとの間のシールの内側エッジ、及び（iii）前記フレームの内側リムのうち少なくとも１つに対して平行である、請求項１に記載のデバイス。
【請求項３】
前記形状は点である、請求項１に記載のデバイス。
【請求項４】
前記点は少なくとも、第１の線に沿って配置された第１の複数の点と、第２の線に沿って配置された第２の複数の点とを含み、前記第１の複数の点は、前記第２の複数の点に対して平行である、請求項３に記載のデバイス。
【請求項５】
前記第１の複数の点の各点は第１の寸法を有し、前記第２の複数の点の各点は第２の寸法を有し、前記第１の寸法は前記第２の寸法と異なる、請求項４に記載のデバイス。
【請求項６】
前記点は少なくとも、第３の線に沿って配置された第３の複数の点をさらに含み、前記第３の複数の点は、前記第１の複数の点および前記第２の複数の点に対して平行であり、
前記第１の複数の点の各点は第１の半径を有し、前記第２の複数の点の各点は第２の半径を有し、前記第３の複数の点の各点は第３の半径を有し、
前記第２の複数の点は、前記第１の複数の点と前記第３の複数の点との間にあり、
前記第１の複数の点の前記第１の半径は、前記第２の複数の点の前記第２の半径より大きく、
前記第２の複数の点の前記第２の半径は、前記第３の複数の点の前記第３の半径より大きい、請求項５に記載のデバイス。
【請求項７】
前記形状のうち少なくともいくつかは、異なる幅および異なる厚さのうち少なくとも１つを有する、請求項１に記載のデバイス。
【請求項８】
前記相隔たる形状のうちのいくつかは、前記相隔たる形状のその他の形状と異なる形状を有する、請求項１に記載のデバイス。
【請求項９】
前記形状は、円形、三角形および長方形のいずれかを含む、請求項８に記載のデバイス。
【請求項１０】
前記パターン化層は、約１μm〜約５０μmの厚さを有する、請求項１に記載のデバイス。
【請求項１１】
前記パターン化層のうちの少なくとも一部は、複数の重なり合う層から形成される、請求項１に記載のデバイス。
【請求項１２】
前記複数の重なり合う層のうちの少なくとも１つの層は、前記複数の重なり合う層のうちの別の１つとは異なる色を有する、請求項１１に記載のデバイス。
【請求項１３】
前記相隔たる形状のうちの少なくとも１つは、前記相隔たる形状のうちのその他の形状とは異なる色を有する、請求項１に記載のデバイス。
【請求項１４】
エレクトロクロミックデバイスであって、前記デバイスはフレームに挿入され、前記デバイスは、
基板と、
前記基板の可視領域内で前記基板の一部を覆うエレクトロクロミックコーティングであって、前記可視領域が、シールの内側エッジ及び前記フレームの内側リムのうちの１つにより境界を定められ、前記エレクトロクロミックコーティングが、前記基板の前記可視領域の外側境界から間隔を置いた外側エッジを有し、前記エレクトロクロミックコーティングの前記外側エッジと前記可視領域の前記外側境界とが作業領域の境界を定める、エレクトロクロミックコーティングと、
前記作業領域内に配置され、（i）複数の相隔たる線、及び（ii）相隔たる複数の点のうちの少なくとも１つを含む、少なくとも１つのパターン化層と
を備えるエレクトロクロミックデバイス。
【請求項１５】
少なくとも１つのエッジを有する薄膜のスタックと、
前記薄膜のエッジの上部に配置され、前記エッジの長さのおおよそ全長にわたって延びており、（i）一連の線、及び（ii）一連の点のうちの少なくとも１つを含む少なくとも１つのパターン化層と
を備える基板。
【誤訳訂正書】
【提出日】平成28年7月25日(2016.7.25)
【誤訳訂正１】
【訂正対象書類名】特許請求の範囲
【訂正対象項目名】全文
【訂正方法】変更
【訂正の内容】
【特許請求の範囲】
【請求項１】
二成分混合物であって、
（i）遊離形の２−アミノ−２−[２−(４−オクチルフェニル)エチル]プロパン−１,３−ジオールまたはその薬学的に許容される塩から選択される化合物；並びに
（ii）次の賦形剤中の１個：
（ａ）微結晶性セルロースである充填剤；
（ｂ）ＨＰＭＣである結合剤；
（ｃ）トウモロコシデンプン、クロスカルメロースナトリウム、カルボキシメチルデンプンナトリウムおよびアルファ化デンプンから選択される崩壊剤；
（ｄ）コロイド二酸化ケイ素である流動調節剤；および
（ｅ）ヒドロキシプロピルセルロースおよびポビドンから選択されるマトリックス形成剤；
からなる二成分混合物。
【請求項２】
賦形剤が、微結晶性セルロース、ＨＰＭＣ、クロスカルメロースナトリウムおよびコロイド二酸化ケイ素から選択される、請求項１に記載の二成分混合物。
【請求項３】
化合物が２−アミノ−２−[２−(４−オクチルフェニル)エチル]プロパン−１,３−ジオール塩酸塩である、請求項１または２に記載の混合物。
【請求項４】
賦形剤が、クロスカルメロースナトリウムまたはカルボキシメチルデンプンナトリウムである、請求項１〜３のいずれか1項に記載の混合物。
【請求項５】
賦形剤が微結晶性セルロースまたはＨＰＭＣである、請求項１〜３のいずれか1項に記載の混合物。
【請求項６】
賦形剤がコロイド二酸化ケイ素、ヒドロキシプロピルセルロースまたはポビドンである、請求項１〜３のいずれか1項に記載の混合物。
【請求項７】
ＵＶ検出を伴うＨＰＬＣにより測定された不純物レベルが、個々の不純物に関して０.５重量％以下である、請求項１〜６のいずれかに記載の混合物。
【請求項８】
最終医薬製品の製造のための、請求項１〜７のいずれかの混合物の使用。
【誤訳訂正２】
【訂正対象書類名】明細書
【訂正対象項目名】００５８
【訂正方法】変更
【訂正の内容】
【００５８】
しかしながら、該薬学的基準は、最終剤形、すなわち、最終製品にしか適用され得ないこともまた理解される。本発明は、好ましい態様において、不純物の少ない、例えば、不純物を含まない、本明細書中に定義するようなＳ１Ｐ受容体モジュレーター、すなわち、式Ｙの基を含む化合物を含む二成分混合物を提供する。好ましくは、本発明の二成分混合物は、不純物レベルに関して次の基準を満たす。
・不純物が４.５重量％程度および／または個々の不純物に関して僅か２重量％程度。
・好ましくは、個々の不純物が０.５重量％以下であり、不純物が２重量％またはそれ以下である。
【誤訳訂正３】
【訂正対象書類名】明細書
【訂正対象項目名】００４５
【訂正方法】変更
【訂正の内容】
【００４５】
一態様において、式Ｙの基を有する化合物は、１個以上の次の賦形剤と共に混合され得る。
（ａ）ラクトース一水和物、無水ラクトース、トウモロコシデンプン、マンニトール、キシリトール、ソルビトール、スクロース、微結晶性セルロース、例えば、アビセル ＰＨ１０１、リン酸水素カルシウム、マルトデキストリン、ゼラチン、例えば、ＤＥ１２から選択される充填剤；および／または
（ｂ）ＨＰＭＣ、例えば、３cＰs、Ｌ−ＨＰＣ、例えば、ＨＰ−セルロース ＬＨ−２２、ポビドンから選択される結合剤；および／または
（ｃ）トウモロコシデンプン、クロスポビドン、クロスカルメロースナトリウム、カルボキシメチルデンプンナトリウム、例えば、プリモジェル(Primojel)、アルファ化デンプン、例えば、スターチ(Starch) １５００（Sta RX）、ケイ酸カルシウムから選択される崩壊剤；および／または
（ｄ）水素化された、例えば、リシノール酸の(ricinoleic)、ヒマシ油、例えば、キュティナ(Cutina)、ステアリン酸マグネシウム、ステアリン酸カルシウム、ステアリン酸亜鉛、鉱油、シリコン液、ラウリル硫酸ナトリウム、Ｌ−ロイシン、フマル酸ステアリルナトリウムから選択される滑沢剤；および／または
（ｅ）アエロジル(Aerosil) ２００ コロイド二酸化ケイ素、例えば、アエロジル ２００、タルクから選択される流動調節剤；および／または
（ｆ）ヒドロキシプロピルメチルセルロース、ヒドロキシプロピルセルロース、メチルセルロース、エチルセルロース、プルラン、デンプン、例えば、ピュア・コート、ポビドンから選択されるマトリックス形成剤；および／または
（ｇ）ＰＥＧ４００、セバシン酸ジブチル、ソルビトールから選択される可塑剤；および／または
（ｈ）メントール、トゥッティ・フルッティから選択される香味剤；および／または
（ｉ）スクラロース、サッカリンナトリウムから選択される甘味料。
【誤訳訂正４】
【訂正対象書類名】明細書
【訂正対象項目名】００４８
【訂正方法】変更
【訂正の内容】
【００４８】
また別の一態様において、本発明は、式Ｙの基を有する化合物、およびソルビトール、キシリトール、第二リン酸カルシウム、ラクトース、微結晶性セルロース、ＨＰＭＣ、ＨＰＣ、クロスポビドン、クロスカルメロースナトリウム、デンプン、好ましくは含水の、ケイ酸カルシウム、コロイド二酸化ケイ素、タルク、ステアリン酸マグネシウム、ステアリン酸カルシウムから選択される１つの賦形剤を含む二成分混合物に関する。
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
リモートデバイスに接続可能な装置であって、
前記リモートデバイスによる実行のための少なくとも１つの指示を取得する取得部と、
前記少なくとも１つの指示を表すパケットを作成する作成部と、
前記リモートデバイスに対して前記パケットを送出する送出部と、を含み、
前記少なくとも１つの指示は、ビデオゲームのゲーム画面の少なくとも一部をレンダリングするための少なくとも１つの指示を含み、
前記作成部は、
記憶手段を調べて、パケットインデックスが前記少なくとも１つの指示に既に割り当てられたか否かを判定し、
前記判定が肯定的なとき、前記パケットインデックスを含むように前記パケットを形成する
ことを特徴とする装置。
【請求項２】
前記少なくとも１つの指示は、前記リモートデバイスによる実行のための関数の識別子と、前記関数の実行に用いられるパラメータの組み合わせとを含むことを特徴とする請求項１に記載の装置。
【請求項３】
前記作成部は、前記パケットインデックスが前記少なくとも１つの指示に既に割り当てられたか否かの判定を、前記記憶手段内のパケットディクショナリが、前記関数の識別子及び前記パラメータの組み合わせに対応するエントリを含むか否かを判定することにより行うことを特徴とする請求項２に記載の装置。
【請求項４】
前記判定は、第１判定であり、
前記作成部は、
前記第１判定が否定的なとき、前記記憶手段を調べて、パラメータインデックスが前記パラメータの組み合わせに既に割り当てられたか否かを第２判定し、
前記第２判定が肯定的なとき、前記パラメータ組み合わせインデックスを含むように前記パケットを形成する
ことを特徴とする請求項２に記載の装置。
【請求項５】
前記判定は、第１判定であり、
前記作成部は、
前記第１判定が否定的なとき、前記記憶手段を調べて、パラメータインデックスが前記パラメータの組み合わせ内の個別パラメータのそれぞれに既に割り当てられたか否かを第２判定し、
前記第２判定が肯定的なとき、前記パラメータの組み合わせの前記各パラメータのための前記パラメータインデックスを含むように前記パケットを形成する
ことを特徴とする請求項２に記載の装置。
【請求項６】
前記作成部は、
前記判定ステップが否定的なとき、以前に割り当てられたパラメータインデックスに関連付けられていない１つ以上のパラメータを特定し、
前記１つ以上のパラメータのそれぞれに対して、各パラメータインデックスを割り当て、前記パラメータに関連付けて、パラメータインデックステーブル内に前記各パラメータインデックスを記憶する
ことを特徴とする請求項１に記載の装置。
【請求項７】
第１装置に接続可能な装置であって、
前記第１装置により位置されるリモート関数呼び出しに関連付けられたパケットインデックスを含むパケットを前記第１装置から取得する取得部と、
前記パケットインデックスに基づくパケットディクショナリを調べて、前記リモート関数呼び出しに関連付けられた関数を特定するとともに、該リモート関数呼び出しに関連付けられたパラメータの組み合わせを判定する判定部と、
前記パラメータの組み合わせ内の前記パラメータを用いて、前記関数を実行する実行部と
を含むことを特徴とする装置。
【請求項８】
通信ネットワークと、ローカルデバイスと、リモートデバイスとを備えたシステムであって、
前記リモートデバイスによる実行のための少なくとも１つの指示を取得する取得手段と、
前記少なくとも１つの指示を表すパケットを作成する作成手段と、
前記リモートデバイスに対して前記パケットを送出する送出手段と、を含み、
前記少なくとも１つの指示は、ビデオゲームのゲーム画面の少なくとも一部をレンダリングするための少なくとも１つの指示を含み、
前記作成手段は、
記憶手段を調べて、パケットインデックスが前記少なくとも１つの指示に既に割り当てられたか否かを判定し、
前記判定が肯定的なとき、前記パケットインデックスを含むように前記パケットを形成する
ことを特徴とするシステム。
【請求項９】
リモートデバイスに接続可能な装置に各種機能を実現させるためのプログラムであって、
前記リモートデバイスによる実行のための少なくとも１つの指示を取得する取得機能と、
前記少なくとも１つの指示を表すパケットを作成する作成機能と、
前記リモートデバイスに対して前記パケットを送出する送出機能と、を実行させ、
前記少なくとも１つの指示は、ビデオゲームのゲーム画面の少なくとも一部をレンダリングするための少なくとも１つの指示を含み、
前記作成機能にて、
記憶手段を調べて、パケットインデックスが前記少なくとも１つの指示に既に割り当てられたか否かを判定する機能と、
前記判定が肯定的なとき、前記パケットインデックスを含むように前記パケットを形成する機能とを
実現させるためのプログラム。
【手続補正書】
【提出日】平成28年6月15日(2016.6.15)
【手続補正１】
【補正対象書類名】明細書
【補正対象項目名】００４６
【補正方法】変更
【補正の内容】
【００４６】
記載されるように中間装置において本発明を実施することに代えて、本発明は、第２のネットワークへの接続を有する第１のネットワーク装置のいずれかにインストールされるプロキシアプリケーションとしても実施され得る。有利に、プロキシアプリケーションは、第１のネットワーク及び第２のネットワークの両方への接続を有し且つほとんど常に電源を入れられたままであるホームゲートウェイのような装置にインストールされ、それにより、プロキシアプリケーションは第１のネットワークに利用可能である。代替的に、第１のネットワーク装置が電源を切るか又は第１のネットワークから接続を中断される場合に、プロキシアプリケーションは、第２のネットワークへの接続を有し且つ電源を入れられたままである第１のネットワークにおける最後の装置であるか、又は第１のネットワークへ接続されたままである第１のネットワークの装置へ移されるか、又はその装置においてアクティブにされる（すなわち、ローミングプロキシアプリケーション）。  
上記の実施形態に加えて、以下の付記を開示する。
（付記１）
第１のネットワーク内で接続されている第１の装置を、第２のネットワーク内で接続されているバックアップデータ記憶サーバへ接続する中間装置によって実施されるデータバックアップ方法であって、
前記第１の装置によって記憶されているデータから前記中間装置によって構成されるフルバックアップアーカイブを、第１の所定の遅延の経過時に、前記バックアップデータ記憶サーバへアップロードし、前記バックアップデータ記憶サーバへ完全にアップロードされるフルバックアップアーカイブが、前記バックアップデータ記憶サーバによって予め記憶されているフルバックアップアーカイブに取って代わる第１のアップロードステップと、
前記第１の装置によって記憶されているデータから前記中間装置によって構成される少なくとも１つの差分バックアップアーカイブを、前記第１のアップロードステップの間に、前記第１の所定の遅延よりも短い第２の所定の遅延の経過時に、前記バックアップデータ記憶サーバへアップロードする第２のアップロードステップと
を有し、
前記第２のアップロードステップにおいてアップロードされる前記少なくとも１つの差分バックアップアーカイブの夫々は、前記第１のアップロードステップの間にアップロードされる最新の完全にアップロードされたフルバックアップアーカイブに対する差分である、データバックアップ方法。
（付記２）
前記第１の所定の遅延及び前記第２の所定の遅延は、前記第２のネットワーク内のストレージへ前記中間装置を接続するアップリンクのビットレートの関数として、且つ、前記少なくとも１つのフルバックアップアーカイブの及び前記少なくとも１つの差分バックアップアーカイブのサイズの関数として、決定される、
付記１に記載のデータバックアップ方法。
（付記３）
アップロードされたフルバックアップアーカイブは、より新しいバージョンを有するフルバックアップアーカイブが前記バックアップデータ記憶サーバへ完全にアップロードされる場合にのみ前記バックアップデータ記憶サーバから削除される、
付記１又は２に記載のデータバックアップ方法。
（付記４）
前記第１のネットワークはローカルエリアネットワークであり、前記第２のネットワークはインターネットである、
付記１乃至３のうちいずれか一つに記載のデータバックアップ方法。
（付記５）
前記中間装置は、前記第１のネットワーク内で接続されている前記第１の装置に前記第２のネットワークへのアクセスを与えるゲートウェイである、
付記１乃至４のうちいずれか一つに記載のデータバックアップ方法。
（付記６）
第１のネットワーク内で接続されている第１の装置によって記憶されているデータを、第２のネットワーク内で接続されているバックアップデータ記憶サーバにバックアップする装置であって、
前記第１の装置によって記憶されているデータからフルバックアップアーカイブを構成し、且つ、前記第１の装置によって記憶されているデータから少なくとも１つの差分バックアップアーカイブを構成するアーカイビングモジュールと、
第１の所定の遅延の及び該第１の所定の遅延よりも短い第２の所定の遅延の経過を決定するタイミングモジュールと、
前記第１の所定の遅延の経過時に、フルバックアップアーカイブを前記バックアップデータ記憶サーバへ最初にアップロードし、前記バックアップデータ記憶サーバへ完全にアップロードされるフルバックアップアーカイブが、前記バックアップデータ記憶サーバによって予め記憶されているフルバックアップアーカイブに取って代わるようにする第１のネットワークインターフェースと
を有し、
前記第１のネットワークインターフェースは更に、前記最初のアップロードの間に、前記第２の所定の遅延の経過時に、少なくとも１つの差分バックアップアーカイブを前記バックアップデータ記憶サーバへアップロードし、該アップロードされる少なくとも１つの差分バックアップアーカイブの夫々は、前記最初のアップロードの間にアップロードされる最新の完全にアップロードされたフルバックアップアーカイブに対する差分である、装置。
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
ロッドライトガイドであって、当該ロッドライトガイドの第１の面上に少なくとも第１の回折格子と、該第１の回折格子に概ね平行の第２の回折格子とが浮き出しにされ、前記第１の回折格子は、イルミネータから第１の光線を受信して、当該ロッドライトガイドから第１の角度の範囲で第１の回折光線を投影するように構成され、前記第２の回折格子は、イルミネータから第２の光線を受信して、当該ロッドライトガイドから第２の角度の範囲で第２の回折光線を投影するように構成される、ロッドライトガイドと、
スラブライトガイドであって、前記第１の回折光線と前記第２の回折光線とを受信し、前記第１の回折光線と前記第２の回折光線とを当該スラブライトガイドの外に投影して広視野の仮想画像を生成するように構成される、スラブライトガイドと、
を備える、仮想画像プロジェクタ。
【請求項２】
前記スラブライトガイドには、前記第１の回折格子及び前記第２の回折格子と概ね直交する第３の回折格子が浮き出しにされ、前記第３の回折格子により、前記広視野の前記仮想画像を生成するよう前記第１の回折光線及び前記第２の回折光線が前記スラブライトガイドの外に投影される、請求項１に記載の仮想画像プロジェクタ。
【請求項３】
前記の広視野は、前記第１の角度の範囲と前記第２の角度の範囲の合計と等しい、請求項１に記載の仮想画像プロジェクタ。
【請求項４】
前記第１の角度の範囲は、前記第２の角度の範囲と異なる、請求項１に記載の仮想画像プロジェクタ。
【請求項５】
前記第１の回折格子は、前記第２の回折格子の第２の空間周波数と異なる第１の空間周波数を有し、該第１の空間周波数は、前記第１の回折格子により、前記第１の回折光線を前記第１の角度の範囲で投影し、前記第２の空間周波数は、前記第２の回折格子により、前記第２の回折光線を前記第２の角度の範囲で投影する、請求項１に記載の仮想画像プロジェクタ。
【請求項６】
前記スラブライトガイドは、前記第１の回折光線及び前記第２の回折光線の各々の一部分を反射し、別の部分を伝送するように構成される部分反射鏡とともに構成される、請求項１に記載の仮想画像プロジェクタ。
【請求項７】
前記ロッドライトガイドには更に、第３の回折格子及び第４の回折格子が浮き出しにされ、前記第３の回折格子及び前記第４の回折格子は、前記第１の回折格子及び前記第２の回折格子に概ね平行であり、前記第３の回折格子は、前記イルミネータから第３の光線を受信し、前記ロッドライトガイドから第３の角度の範囲で第３の回折光線を投影するように構成され、前記第４の回折格子は、前記イルミネータから第４の光線を受信し、前記ロッドライトガイドから第４の角度の範囲で第４の回折光線を投影するように構成される、請求項１に記載の仮想画像プロジェクタ。
【請求項８】
当該仮想画像プロジェクタは、眼鏡に結合されて、該眼鏡のレンズの前に前記仮想画像を生成する、請求項１に記載の仮想画像プロジェクタ。
【請求項９】
仮想画像に対応するデータを受信するステップと、
イルミネータを制御して、第１の光線を第１の角度の範囲でロッドライトガイドの外へ回折してスラブライトガイドに注入し、広視野を有する前記仮想画像を生成するのに効果的であるように、第１の光線をロッドライトガイドの第１の回折格子に注入するステップと、
前記イルミネータを制御して、第２の光線を第２の角度の範囲で前記ロッドライトガイドの外へ回折して前記スラブライトガイドに注入し、前記広視野を有する前記仮想画像を生成するのに効果的であるように、第２の光線を前記ロッドライトガイドの第２の回折格子に注入するステップと
を含む、方法。
【請求項１０】
頭部装着型ディスプレイデバイスであって、
少なくとも２つの実質的に並行な回折格子がエンボスされるロッドライトガイドへ光線を注入するように構成されるイルミネータであって、前記少なくとも２つの実質的に並行な回折格子が前記ロッドライトガイドの第１の面に配置されている、イルミネータと；
前記イルミネータからの光線を受け取るように構成される前記ロッドライトガイドであって、前記少なくとも２つの実質的に並行な回折格子は、前記少なくとも２つの実質的な回折格子の外へ前記光線を広い角度でライトガイドの外へ回折するように構成される、前記ロッドライトガイドと；
スラブライトガイドであって、前記ロッドライトガイドから前記回折された光線を受け取り、前記回折光線を当該スラブライトガイドの外へ前記回折光線を投影し、広視野の仮想画像を生成するように構成される、スラブライトガイドと；
を備える、頭部装着型ディスプレイデバイス。
【手続補正２】
【補正対象書類名】明細書
【補正対象項目名】００１４
【補正方法】変更
【補正の内容】
【００１４】
図２は、単一の回折格子が浮き出しにされたライトガイド２０２の例２００を図示している。この例において、ライトガイド２０２の端面２０４は、イルミネータ２０６に隣接して位置しており、光線２０８をイルミネータ２０６から受信するように構成される。光線２０８は、ライトガイド２０２を通過して、反対の端面２１０へ進み、ここでリダイレクト光学素子（redirection  optic）２１２に当たる。リダイレクト光学素子２１２は、鏡又は屈折構造として実装されることができ、光線がライトガイド２０２へ入る角度を変化させるように構成される。この例において、リダイレクト光学素子２１２は、光線２０８を、全内部反射の臨界角よりも大きな角度でライトガイド２０２へ戻すように反射する。リダイレクト光学素子２１２で反射した後、光線２０８は、全内部反射によって反対の端面２１０から離れるよう伝播する。しかしながら、光線２０８が回折格子２１４に当たる度に、光線２０８の一部は、ライトガイド２０２の外に回折されて、平行な回折光線２１６を形成する。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
コンピューティングデバイスにおける実行のために１つ又は複数のモジュールを備えるアプリケーションを起動するステップと、
前記の起動する動作に応答して、前記コンピューティングデバイスによる前記１つ又は複数のモジュールを備える前記アプリケーションの実行を通して自動的かつユーザ介入なしに、基準を生成するステップと、
前記の起動する動作に応答して、前記１つ又は複数のモジュールを備える前記アプリケーションの実行を通して自動的かつユーザ介入なしに、前記生成された基準を使用して、画像をキューレートするステップであって、該キューレートされる画像は、ユーザに関連付けられる、複数の異なる画像ソースから識別される、ステップと、
前記の起動する動作に応答して、前記キューレートされた画像を、前記１つ又は複数のモジュールを備える前記アプリケーションの実行を通して自動的かつユーザ介入なしに、前記コンピューティングデバイスのディスプレイデバイスにより表示させるステップであって、前記ディスプレイデバイスにより表示されている前記キューレートされた画像のうちの少なくとも１つを識別するのに使用された、前記生成された基準の少なくとも１つについての説明を表示するステップを含む、と、
を含む、方法。
【請求項２】
前記１つ又は複数のモジュールを備える前記アプリケーションは、オペレーティングシステムの一部として組み込まれ、前記の起動する動作は、前記キューレートされた画像を出力するための前記ユーザによるオプションの選択に応答して実行される、
請求項１に記載の方法。
【請求項３】
前記基準は、前記画像に対応する１つ又は複数のピクセルについて実行すべき分析を指定する、
請求項１に記載の方法。
【請求項４】
前記基準は、前記画像に関連付けられるメタデータに対応する、
請求項１に記載の方法。
【請求項５】
前記のキューレートする動作は、前記１つ又は複数のモジュールを備える前記アプリケーションの実行を通して、ネットワークを介してリモートにアクセス可能な少なくとも１つの画像について、該少なくとも１つの画像をダウンロードすることなく該少なくとも１つの画像を識別するのに実行される、
請求項１に記載の方法。
【請求項６】
前記少なくとも１つの画像は、１つ又は複数の前記基準を使用して、前記少なくとも１つの画像の識別に応答してダウンロードされる、
請求項５に記載の方法。
【請求項７】
前記画像をキューレートするステップは、
自動的かつユーザ介入なしに、前記生成された基準を使用して前記複数の異なる画像ソースから前記画像を識別するステップと、
自動的かつユーザ介入なしに、表示すべき前記識別された画像のサブセットを選択するステップと、
自動的かつユーザ介入なしに、前記選択された画像のサブセットの１つ又は複数の画像を、画像レイアウト内の位置に合致させるステップと、
自動的かつユーザ介入なしに、前記画像レイアウトにおける前記選択された画像のサブセットの少なくとも１つの表示を置換するステップと、
を含む、請求項１に記載の方法。
【請求項８】
所定の時間の経過後に、追加の基準を生成するステップと、前記追加の基準の生成に応答して追加の画像をキューレートするステップと、
を更に含む、請求項７に記載の方法。
【請求項９】
１つ又は複数のモジュールを備えるアプリケーションを有するコンピューティングデバイスによって実行されると、該コンピューティングデバイスに、
前記１つ又は複数のモジュールを備えるアプリケーションの実行の開始に応答してユーザ介入なしに、基準を生成する動作と、
前記の生成する動作に応答してユーザ介入なしに、前記生成された基準を使用して、複数の異なる画像ソースからユーザに関連付けられる画像を識別する動作と、
前記の識別する動作に応答してユーザ介入なしに、表示用に前記識別された画像のサブセットを選択する動作と、
前記の選択する動作に応答してユーザ介入なしに、前記選択された画像のサブセットの１つ又は複数の画像を、画像レイアウト内の位置に合致させる動作と、
前記の合致させる動作に応答してユーザ介入なしに、前記画像レイアウト内における前記選択された画像のサブセットの少なくとも１つの画像の表示を、前記選択された画像のサブセットの別の画像に置換する動作であって、前記画像レイアウトは、前記画像レイアウト内に表示されている少なくとも１つの画像を識別するために使用された、前記生成された基準の少なくとも１つについての説明を含む、動作と、
を含む動作を実行させる、コンピュータプログラム。
【請求項１０】
少なくとも部分的にハードウェア内で実装される１つ又は複数のモジュールを備えるアプリケーションを備えるシステムであって、前記１つ又は複数のモジュールを備える前記アプリケーションは、
前記１つ又は複数のモジュールを備える前記アプリケーションが起動されたことに応答して、自動的かつユーザ介入なしに生成される基準を使用して、画像をキューレートする動作であって、該キューレートされる画像は、ユーザに関連付けられる、複数の異なる画像ソースから識別される、動作と、
前記１つ又は複数のモジュールを備える前記アプリケーションが起動されたことに応答して、前記キューレートされた画像を、自動的かつユーザ介入なしに、ディスプレイデバイスにより表示させる動作であって、前記キューレートされた画像は、第１の画像ソースからの少なくとも１つの画像が第２の画像ソースからの第２の画像と同時に表示されるようなレイアウトに従って表示され、前記レイアウトは、当該レイアウトに従って表示されている前記キューレートされた画像のうちの少なくとも１つを識別するのに使用された、前記生成された基準の少なくとも１つについての説明を表示するステップを含む、動作と、
を備える動作を実行するように構成される、システム。
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
真核生物型の表現型の調節因子抗体を同定する方法であって、
（ａ）修飾された抗体発現細胞の異種性の集団を産生するため、真核生物細胞型の細胞集団において、候補抗体又はその抗原結合フラグメントのライブラリを発現すること、並びに
（ｂ）前記真核細胞型の修飾されていない対照細胞の表現型に対して変更された表現型を伴う特異的抗体発現細胞を選択し、それによって、前記真核生物細胞型の調節因子として前記特異的抗体発現細胞において発現される候補抗体を同定すること
を含む方法。
【請求項２】
前記候補抗体のライブラリが、各細胞が３つ以下の異なる抗体種を発現する条件下で細胞内において発現される、請求項１に記載の方法。
【請求項３】
前記候補抗体のライブラリが分泌抗体又は細胞内抗体のコンビナトリアルライブラリである、請求項１に記載の方法。
【請求項４】
前記コンビナトリアルライブラリが、レンチウイルスベクター又はレトロウイルスベクターを介して前記細胞内において発現される、請求項３に記載の方法。
【請求項５】
前記真核生物細胞型が哺乳動物細胞型である、請求項１に記載の方法。
【請求項６】
前記抗体発現細胞が、選択の間、拡散制限培地で培養される、請求項１に記載の方法。
【請求項７】
同定された候補抗体の重鎖可変領域及び軽鎖可変領域のアミノ酸配列を決定することをさらに含む、請求項１に記載の方法。
【請求項８】
前記表現型が細胞応答又は細胞のシグナル伝達活性である、請求項１に記載の方法。
【請求項９】
前記細胞型が幹細胞型であり、前記表現型が細胞分化である、請求項１に記載の方法。
【請求項１０】
前記表現型が、標的分子により媒介される、請求項１に記載の方法。
【請求項１１】
前記標的分子が、腫瘍抑制遺伝子又はがん遺伝子によりコードされている、請求項１０に記載の方法。
【請求項１２】
前記標的分子が分泌ホルモン又はサイトカインである、請求項１０に記載の方法。
【請求項１３】
前記分泌ホルモン又はサイトカインがエリスロポエチン、トロンボポエチン又はＩＬ−１である、請求項１２に記載の方法。
【請求項１４】
前記標的分子が前記細胞型のシグナル伝達受容体である、請求項１０に記載の方法。
【請求項１５】
前記受容体が、分泌ホルモン又はサイトカインに対する受容体である、請求項１４に記載の方法。
【請求項１６】
前記同定された抗体がヘテロ二量体二重特異性抗体である、請求項１０に記載の方法。
【請求項１７】
前記二重特異的抗体が、標的分子上の２つの異なるエピトープに結合する、請求項１６に記載の方法。
【請求項１８】
前記調節因子抗体が前記標的分子を刺激する、請求項１０に記載の方法。
【請求項１９】
前記調節因子抗体が前記標的分子を拮抗するか、又は前記標的分子の阻害剤を拮抗する、請求項１０に記載の方法。
【請求項２０】
前記選択が、前記阻害剤の存在下で行われる、請求項１９に記載の方法。
【請求項２１】
表現型選択のため前記細胞集団において前記バインダー抗体を発現する前に、前記標的分子のバインダーを同定するため、前記候補抗体のライブラリをスクリーニングすることをさらに含む、請求項１０に記載の方法。
【請求項２２】
前記標的分子の前記バインダー抗体がファージディスプレイにより同定される、請求項２１に記載の方法。
【請求項２３】
前記表現型が、標的分子又は前記細胞型のマーカー遺伝子の発現である、請求項１に記載の方法。
【請求項２４】
前記標的分子が細胞表面受容体である、請求項２３に記載の方法。
【請求項２５】
標的細胞をリプログラムするか又は分化転換することが可能なポリペプチド物質を同定する方法であって、
（１）修飾された物質発現レポーター細胞の異種性集団を産生するため、前記標的細胞によって発現されるシグナル伝達受容体を有するレポーター細胞において候補ポリペプチド物質のライブラリを発現すること、
（２）前記受容体の活性化されたシグナル伝達により、ポリペプチド物質発現レポーター細胞の亜集団を同定すること、
（３）前記同定された細胞の亜集団からアゴニスト物質の群を単離すること、及び
（４）アゴニスト物質の群を前記標的細胞の集団と接触させ、分化転換の特異的表現型指標により細胞を選択し、それによって、前記標的細胞をリプログラム又は分化転換することが可能なポリペプチド物質を同定すること
を含む方法。
【請求項２６】
前記標的細胞が、体細胞又は系統制限幹細胞である、請求項２５に記載の方法。
【請求項２７】
前記候補ポリペプチド物質が抗体又はその抗原結合フラグメントである、請求項２５に記載の方法。
【請求項２８】
前記候補物質及び前記受容体が、前記レポーター細胞の原形質膜へと同時に組み込まれる、請求項２５に記載の方法。
【請求項２９】
前記標的細胞における前記受容体の活性化が前記特異的表現型を促進する、請求項２５に記載の方法。
【請求項３０】
前記受容体がＧ−ＣＳＦＲであり、前記特異的表現型が神経発生である、請求項２５に記載の方法。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
式ＩＩ又は式Ｉ：
【化１】
2015529208.tif 000001
の化合物、又はその塩であって、式中、
Ｄが、−Ａｒ−Ｗ３−又は−Ｗ１−Ｙ１−Ｃ（Ｏ）−Ｙ２−Ｗ２−であり、
Ａｒが、
【化２】
2015529208.tif 000002
であって、
Ｗ１、Ｗ２及びＷ３が、それぞれ独立に単結合又はＣ１−Ｃ６アルキレンであり、
Ｗ４が、Ｃ１−Ｃ１０アルキレンであり、
Ｘ１が−ＮＨ−、−Ｏ−、又は−Ｓ−であり、
Ｙ１が独立に単結合、−ＮＨ−又は−Ｏ−であり、
Ｙ２がＮ−結合若しくはＣ結合ピロリジニレンであり、
Ｚ１、Ｚ２及びＺ３のうち１つが−Ｎ−であり、Ｚ１、Ｚ２及びＺ３のうちその他が独立に−ＣＨ−である、化合物。
【請求項２】
Ｄが、−Ａｒ−Ｗ３−である、請求項１に記載の化合物。
【請求項３】
Ｄが、−Ｗ１−Ｙ１−Ｃ（Ｏ）−Ｙ２−Ｗ２−である、請求項１に記載の化合物。
【請求項４】
Ｄが、−Ａｒ−Ｗ３−であり、
Ａｒが、
【化３】
2015529208.tif 000003
である、請求項１に記載の化合物。
【請求項５】
Ｄが、−Ａｒ−Ｗ３−であり、
Ａｒが、
【化４】
2015529208.tif 000004
である、請求項１に記載の化合物。
【請求項６】
Ｄが、−Ａｒ−Ｗ３−であり、
Ｗ３が、−ＣＨ２−であり、
Ａｒが、
【化５】
2015529208.tif 000005
である、請求項１に記載の化合物。
【請求項７】
Ｄが、−Ｗ１−Ｙ１−Ｃ（Ｏ）−Ｙ２−Ｗ２−であり、
Ｙ１が、独立に−ＮＨ−又は−Ｏ−である、請求項１に記載の化合物。
【請求項８】
Ｄが、−Ｗ１−Ｙ１−Ｃ（Ｏ）−Ｙ２−Ｗ２−であり、
Ｙ２が、独立にＮ−結合又はＣ−結合ピロリジニレンであり、
Ｗ２が、単結合である、請求項１に記載の化合物。
【請求項９】
式Ｉａ：
【化６】
2015529208.tif 000006
で表される請求項１に記載の化合物。
【請求項１０】
Ｗ２及びＷ３が、それぞれ別個のＣ１−Ｃ３アルキレンである、請求項１に記載の化合物。
【請求項１１】
式ＩＩ：
【化７】
2015529208.tif 000007
で表される請求項１に記載の化合物、又はその塩であり、Ｗ４がＣ１−Ｃ１０アルキレンである、化合物。
【請求項１２】
式３０：
【化８】
2015529208.tif 000008
で表される請求項１１に記載の化合物、又はその塩。
【請求項１３】
以下の式：
【化９】
2015529208.tif 000009
【化１０】
2015529208.tif 000010
のいずれかで表される請求項１に記載の化合物、又はその塩。
【請求項１４】
請求項１〜１３のいずれか１項に記載の化合物に対応するアミノ酸残基を含む、ポリペプチド。
【請求項１５】
ペイロードに結合した請求項１４のポリペプチドを含み、任意に前記ポリペプチドと前記ペイロードの間に結合部分を含む、コンジュゲート。
【請求項１６】
請求項１〜１３のいずれか１項に記載の化合物に対応するアミノ酸残基を含む、抗体。
【請求項１７】
ペイロードに結合した請求項１６に記載の抗体を含み、任意に前記抗体と前記ペイロードの間に結合部分を含む、コンジュゲート。
【請求項１８】
請求項１〜１３のいずれかに記載の化合物に対応するアミノ酸残基でアミノアシル化された直交ｔＲＮＡ。
【請求項１９】
ポリペプチドを製造する方法であって、前記アミノ酸残基を前記ポリペプチドに取り込むのに適切な条件で、請求項１８に記載の直交ｔＲＮＡにポリペプチドを接触させることを含む、方法。
【請求項２０】
前記直交ｔＲＮＡ塩基が、通常はアミノ酸と会合しないコドンと対合する、請求項１９に記載の方法。
【請求項２１】
前記接触が、請求項１〜１３のいずれかに記載の化合物で前記直交ｔＲＮＡをアミノアシル化することができるｔＲＮＡ合成酵素を含む反応混合物で生じる、請求項１９に記載の方法。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
ビオチン部分およびｓｉＲＮＡ部分を含む組成物であって、ｓｉＲＮＡ部分が、配列番号１〜１５のいずれか、または配列番号１〜１５のいずれかに対して少なくとも８５％の配列相同性を有する核酸からなる群から選択されるヌクレオチドを含む、組成物。
【請求項２】
組成物がｓｉＲＮＡとビオチンとの間のリンカーを更に含む、請求項１記載の組成物。
【請求項３】
組成物が抗体、抗原、アビジンまたはストレプトアビジンを含まない、請求項１または請求項２記載の組成物。
【請求項４】
組成物が診断剤を更に含む、請求項１〜３のいずれか１項記載の組成物。
【請求項５】
診断剤が、発蛍光団、発色団、化学発光剤、放射性核種、不対スピン原子、フリーラジカルおよび造影剤からなる群から選択される、請求項４記載の組成物。
【請求項６】
ｓｉＲＮＡ部分が、配列番号１〜８のいずれか、または配列番号１〜８のいずれかに対して少なくとも８５％の配列相同性を有する核酸からなる群から選択されるヌクレオチドを含む、請求項１〜５のいずれか１項記載の組成物。
【請求項７】
ビオチン部分およびｓｉＲＮＡ部分からなる組成物。
【請求項８】
組成物がインビボで細胞をトランスフェクトしうる、請求項１〜７のいずれか１項記載の組成物。
【請求項９】
組成物が、ＡＤの発病に関与するタンパク質をコードする遺伝子を部分的、実質的または完全に欠失させ、サイレンシングし、不活性化し、妨害し、またはダウンレギュレーションする、請求項１〜８のいずれか１項記載の組成物。
【請求項１０】
ＡＤの発病に関与するタンパク質が、アミロイド前駆体タンパク質（ＡＰＰ）、ベータアミロイド切断酵素−１（ＢＡＣＥ１）、タウ、プレセニリン（例えば、プレセニリン１（ＰＳ１）またはプレセニリン２（ＰＳ２））、セレノプロテインＰ（ＳｅｌＰ）、アポリポタンパク質Ｅ（ＡｐｏＥ）、インスリン分解タンパク質、ネプリリシンおよびアルファ−シヌクリジンからなる群から選択される、請求項９記載の組成物。
【請求項１１】
遺伝子が、ＭＡＲＫ２、ＰＡＫ３、ＰＡＫ２、ＡＤＣＫ５、ＡＫＡＰ１３、ＬＯＣ５５９７１、ＰＬＫ２、ＤＹＲＫ１Ａ、ＭＡＫ、ＩＴＫ、ＰＩＭ１、ＲＡＧＥ、ＩＴＰＫ１、ＣＫＢ、ＰＦＫＭ、ＤＧＫＢおよびＳＰＨＫ２からなる群から選択される、請求項９記載の組成物。
【請求項１２】
遺伝子が、ＥＩＦ２ＡＫ２、ＣＤＫＬ１、ＤＣＫ、ＤＧＫＱ、ＰＦＫＦＢ３、ＥＲＫ８、ＳＴＫ１９、ＰＲＫＧ２およびＰＡＭ２Ｋ１ＩＰ１からなる群から選択される、請求項９記載の組成物。
【請求項１３】
ｓｉＲＮＡ部分が５’末端にグアノシンを含む、請求項１〜１２のいずれか１項記載の組成物。
【請求項１４】
ｓｉＲＮＡ部分のセンスまたはアンチセンス鎖が３０、２５、２４、２３、２２、２１、２０、１９、１８または１７ヌクレオチド長以下である、請求項１〜１３のいずれか１項記載の組成物。
【請求項１５】
請求項１〜１４のいずれか１項記載の組成物の治療的有効量と医薬上許容される担体または希釈剤とを含む、医薬上許容される製剤。
【請求項１６】
請求項１〜１４のいずれか１項記載の組成物の治療的有効量を含む、哺乳動物におけるアルツハイマー病の治療のための医薬組成物。
【請求項１７】
哺乳動物がヒトである、請求項１６記載の医薬組成物。
【請求項１８】
請求項４または請求項５記載の組成物の検出可能な量を含む、対象のイメージを生成するための組成物。
【請求項１９】
対象がヒトである、請求項１８記載の組成物。
【請求項２０】
哺乳動物におけるアルツハイマー病の治療のための医薬の製造における、請求項１〜１４のいずれか１項記載の組成物の使用。
【請求項２１】
対象のイメージを生成するための組成物の製造における、請求項４または５に記載の組成物の使用。